(57)【特許請求の範囲】
【請求項１】
蝶番本体に蝶番ピンと係合する回転軸を設け、回転軸の回転により蝶番ピンがスライドする蝶番において、回転軸の回転規制として、該回転軸の頭部に設けた舌部の背面に凸部を設け、該凸部が係合する凹部を蝶番本体に設けたものとしたことを特徴とする蝶番。
【請求項２】
蝶番本体に回転軸角度止め部材を設けたことを特徴とする請求項１に記載の蝶番。
【発明の詳細な説明】
【０００１】
【発明の属する技術分野】
本発明は、容易に分離できる蝶番に関するものであり、特に分電盤や配電盤等の電気機器収納用ボックスに用いるのに適した蝶番に関するものである。
【０００２】
【従来の技術】
通常、分電盤や配電盤等の電気機器収納用ボックスには、内部の電気機器が不用意に操作されることを防止するために蝶番によって扉が取り付けられている。このようなボックスを設置し、外部からボックス内部への配線工事を行う際には、この扉が邪魔になるため、扉を取り外して配線工事を行った後に再度扉を取り付けることがある。
【０００３】
このような場合、従来は蝶番ピンの先端をベビーハンマー等の工具で叩きながら蝶番ピンを抜いて蝶番を分離し、扉をボックス本体から取り外して工事を行い、工事終了後再び扉を取り付け、蝶番ピンを挿入した上蝶番ピンの頭部を叩き込んで蝶番を結合させるのが一般的であった。しかしこの方法は作業性が悪く、誤って扉に傷を付けてしまうことがあり、また現場に特別な工具を持って行く必要があるという問題があった。
【０００４】
この問題を解決するため、特許第２９９６６２６号のように、蝶番ピン軸部にラック状の歯を形成し、該ラック状の歯に歯形軸を噛合させて歯形軸の回転により蝶番ピンをスライドできるようにし、蝶番ピンをスライドさせることにより蝶番ピンの先端をピンホルダーに挿入、抜去できるようにした蝶番が考えられた。しかし、このような蝶番では、輸送時の振動によって蝶番ピンがピンホルダーから抜け、蝶番が分離して扉が脱落する恐れがあった。また、分電盤や配電盤等の電気機器収納用ボックスにおいては、このような蝶番を２個以上使用するのが普通であるが、ボックスを立てて設置する場合には、少なくとも１個の蝶番はピンホルダーを蝶番本体の上に載せて扉の重量を支えることが必要であり、そのために蝶番ピンを上向きとしてピンホルダーに下から挿入するようにする必要がある。このような蝶番では、ボックスが振動の激しい場所に設置されると蝶番ピンの自重に振動が加わって蝶番ピンが抜け、蝶番が分離して扉が脱落する恐れがあった。
【０００５】
【発明が解決しようとする課題】
本発明は、上記の問題点を解決するためになされたもので、特別な工具を使用することなく扉の着脱を容易に行うことができるようにするとともに、輸送時やボックスの設置後の振動により蝶番ピンが抜けることのない蝶番を提供する。
【０００６】
【課題を解決するための手段】
上記の問題は、本発明の蝶番本体に蝶番ピンと係合する回転軸を設け、回転軸の回転により蝶番ピンがスライドする蝶番において、回転軸の回転規制として、該回転軸の頭部に設けた舌部の背面に凸部を設け、該凸部が係合する凹部を蝶番本体に設けたものとしたことを特徴とする蝶番によって解決できる。また、蝶番本体には回転軸角度止め部材を設けたものであることが好ましい。
【０００７】
【発明の実施の形態】
次に、本発明の蝶番に係る実施形態について、図を参照しながら具体的に説明する。
図１及び図２において、１は蝶番本体であって、蝶番ピン２がスライド自在に挿入してある。蝶番ピン２は頭部３と軸部４から構成され、軸部の中間部にはラック状の歯５が形成してある。６はラック状の歯５に噛合する歯を設けた回転軸であって、蝶番本体１に回動自在に取り付けてあり、その頭部７にはドライバー等の係合部８が設けてある。９は回転軸６の頭部７から張り出して設けた弾性材よりなる舌部であって、舌部９の背面には凸部１０が設けてあり、蝶番本体１には回転軸６の回転範囲の両端位置でそれぞれ凸部１０が係合する凹部１１、１１が設けてある。１２は蝶番本体１に突設した回転止めであって、回転軸６の回転範囲の両端位置を越えて回転軸６を回転させようとした場合に舌部９に当って回転を抑制する。図５は凸部１０及び凹部１１の断面形状を示すもので、凸部１０は球形の一部からなる凸形状とし、凹部１１は凸部１０に係合する凹形状としてあり、係合状態で容易に離脱することはないが、ドライバー等で操作することにより離脱させることができる。
【０００８】
図６は前記構成の蝶番を電気機器収納用ボックスに取り付けた状態を示すもので、蝶番本体１は取り付け脚部１３に設けた取り付け穴１４に挿入したビスによってボックス本体１５に取り付けられている。１６は扉１７に取り付けられたピンホルダーであって、該ピンホルダー１６の孔に蝶番ピン２が挿入されることにより蝶番が結合される。
【０００９】
前記構成のものにおいて、回転軸６の係合部８にドライバー等を係合させて回転軸６をいずれかの方向に回転させると、蝶番ピン２はラック状の歯５が回転軸６に設けられた歯と噛合していることにより蝶番本体１に対してスライドさせられ、蝶番ピン２の先端は図３に示すように蝶番本体１から突出されたり、図４に示すように蝶番本体１内に引き込まれたりする。蝶番ピン２の先端が蝶番本体１から突出され、ピンホルダー１６の孔に挿入されると蝶番は結合され、また蝶番ピン２の先端が蝶番本体１内に引き込まれ、ピンホルダー１６の孔から抜去されると蝶番は分離されることになる。このとき、回転軸６を回転範囲の端まで回転させると凸部１０は凹部１１と係合するので回転軸６の回転が規制されることとなり、蝶番ピン２の先端は蝶番本体１から突出された位置又は蝶番本体１内に引き込まれた位置で確実に保持され、振動等により蝶番ピン２がスライドして抜けることはない。
【００１０】
したがって、回転軸６を回転させて蝶番ピン２をスライドさせ、蝶番を分離させれば扉１７をボックス本体１５から容易に取り外すことができ、ピンホルダー１６の孔が蝶番ピン２の軸線上に対向するように扉１７を位置させたうえ回転軸６を回転させて蝶番ピン２をスライドさせ、蝶番を結合させれば扉１７をボックス本体１５に対して開閉自在に取り付けられるものである。しかも、これらの作業を行う間に蝶番ピン２が勝手にスライドして作業を妨げることはない。
【００１１】
さらに、回転止め１２を設けることにより、回転軸６が必要以上に回転させられることがないので、蝶番ピン２が蝶番本体１から完全に抜けてしまうことや、回転軸６とラック状の歯５が異常な噛み合い状態となることを防止できる。
【００１２】
【発明の効果】
以上説明した本発明の実施の形態によれば、回転軸６を回転させて蝶番ピン２をスライドさせ、蝶番を分離、結合させることができるものであるから、扉１７の脱着が容易である。また、蝶番ピン２が確実に保持されスライドすることがないので輸送時やボックスの設置後の振動により蝶番ピンが抜けることがないという利点がある。
【図面の簡単な説明】
【図１】本発明の実施の形態を示す正面図である。
【図２】本発明の実施の形態を示す一部縦断正面図である。
【図３】本発明の実施の形態において、回転軸を一方向に回転させた状態を示す正面図である。
【図４】本発明の実施の形態において、回転軸を逆方向に回転させた状態を示す正面図である。
【図５】本発明の実施の形態を示す要部の断面図である。
【図６】本発明の実施の形態の蝶番をボックスに取り付けた状態を示す斜視図である。
【符号の説明】
１  蝶番本体、２  蝶番ピン、３  蝶番ピンの頭部、４  蝶番ピンの軸部、５  ラック状の歯、６  回転軸、７  回転軸の頭部、８  ドライバー等の係合部、９舌部、１０  凸部、１１  凹部、１２  回転止め、１３  取り付け脚部、１４取り付け穴、１５  ボックス本体、１６  ピンホルダー、１７  扉
【図１】
0003880299.tif 000002
【図２】
0003880299.tif 000003
【図３】
0003880299.tif 000004
【図４】
0003880299.tif 000005
【図５】
0003880299.tif 000006
【図６】
0003880299.tif 000007